(57)【特許請求の範囲】
【請求項１】
ＯＬＴからの下り信号を、ＥＰＯＮで割り当てられた波長帯の下り信号と、ＧＥ−ＰＯＮで割り当てられた波長帯の下り信号とに分岐して出力する光分岐部と、
前記光分岐部からの前記ＥＰＯＮで割り当てられた波長帯の下り信号を終端するＥＰＯＮ終端部と、
前記光分岐部からの前記ＧＥ−ＰＯＮで割り当てられた波長帯の下り信号を終端するＧＥ−ＰＯＮ終端部と
を備えたＯＮＵ。
【請求項２】
前記ＥＰＯＮ終端部および前記ＧＥ−ＰＯＮ終端部のうち、どちらの終端部に前記下り信号が出力されたかを判定する判定部と、
前記判定部による判定結果に基づいて、前記下り信号が出力されていない終端部の動作を停止させる停止制御部とを備えた
ことを特徴とする請求項１記載のＯＮＵ。
【請求項３】
前記ＥＰＯＮ終端部および前記ＧＥ−ＰＯＮ終端部のうち、前記下り信号が出力されていない終端部の状態監視を行う状態監視部と、
前記ＥＰＯＮ終端部および前記ＧＥ−ＰＯＮ終端部のうち、前記下り信号が出力された終端部に対して、前記状態監視部による監視結果の前記ＯＬＴへの通知を指示する通知指示部とを備えた
ことを特徴とする請求項１記載のＯＮＵ。
【請求項４】
前記停止制御部は、所定タイミングで、前記動作を停止させた終端部を一時的に動作させ、
前記ＥＰＯＮ終端部および前記ＧＥ−ＰＯＮ終端部のうち、前記下り信号が出力されず、かつ、前記停止制御部により一時的に動作させられた終端部の状態監視を行う状態監視部と、
前記ＥＰＯＮ終端部および前記ＧＥ−ＰＯＮ終端部のうち、前記下り信号が出力された終端部に対して、前記状態監視部による監視結果の前記ＯＬＴへの通知を指示する通知指示部とを備えた
ことを特徴とする請求項２記載のＯＮＵ。
【請求項５】
前記ＥＰＯＮ終端部および前記ＧＥ−ＰＯＮ終端部により終端されて処理された信号を、下位のユーザ端末に出力するユーザ側ポートと、
前記ＥＰＯＮ終端部および前記ＧＥ−ＰＯＮ終端部のうち、どちらの終端部に前記下り信号が出力されたかを判定する判定部と、
前記判定部による判定結果に基づいて、前記ユーザ側ポートのリンク速度を設定する設定部とを備えた
ことを特徴とする請求項１または請求項３記載のＯＮＵ。
【請求項６】
入力信号を下位のユーザ端末に出力するユーザ側ポートと、
前記ＥＰＯＮ終端部および前記ＧＥ−ＰＯＮ終端部のうち、どちらの終端部に前記下り信号が出力されたかを判定する判定部と、
前記判定部により前記下り信号が出力されたと判定された終端部により終端されて処理された信号を、前記ユーザ側ポートに出力する第１の選択部とを備えた
ことを特徴とする請求項１または請求項３記載のＯＮＵ。
【請求項７】
前記ＥＰＯＮ終端部および前記ＧＥ−ＰＯＮ終端部は上り信号を生成する機能を有し、
前記ＥＰＯＮ終端部および前記ＧＥ−ＰＯＮ終端部のうち、一方の終端部からの上り信号を前記ＯＬＴに出力するよう切替えを行う切替え選択部と、
前記ＥＰＯＮ終端部および前記ＧＥ−ＰＯＮ終端部のうち、どちらの終端部に前記下り信号が出力されたかを判定する判定部と、
前記判定部による判定結果に基づいて、前記切替え選択部を制御する第２の選択部とを備えた
ことを特徴とする請求項１または請求項３記載のＯＮＵ。
【請求項８】
前記ＥＰＯＮ終端部および前記ＧＥ−ＰＯＮ終端部により終端されて処理された信号を、下位のユーザ端末に出力するユーザ側ポートと、
前記判定部による判定結果に基づいて、前記ユーザ側ポートのリンク速度を設定する設定部とを備えた
ことを特徴とする請求項２または請求項４記載のＯＮＵ。
【請求項９】
入力信号を下位のユーザ端末に出力するユーザ側ポートと、
前記判定部により前記下り信号が出力されたと判定された終端部により終端されて処理された信号を、前記ユーザ側ポートに出力する第１の選択部とを備えた
ことを特徴とする請求項２または請求項４記載のＯＮＵ。
【請求項１０】
前記ＥＰＯＮ終端部および前記ＧＥ−ＰＯＮ終端部は上り信号を生成する機能を有し、
前記ＥＰＯＮ終端部および前記ＧＥ−ＰＯＮ終端部のうち、一方の終端部からの上り信号を前記ＯＬＴに出力するよう切替えを行う切替え選択部と、
前記判定部による判定結果に基づいて、前記切替え選択部を制御する第２の選択部とを備えた
ことを特徴とする請求項２または請求項４記載のＯＮＵ。
【発明の詳細な説明】
【技術分野】
【０００１】
この発明は、ＥＰＯＮ（Ｅｔｈｅｒｎｅｔ（登録商標）  Ｐａｓｓｉｖｅ  Ｏｐｔｉｃａｌ  Ｎｅｔｗｏｒｋ）からＧＥ−ＰＯＮ（Ｇｉｇａ  ｂｉｔ  Ｅｔｈｅｒｎｅｔ（登録商標）−Ｐａｓｓｉｖｅ  Ｏｐｔｉｃａｌ  Ｎｅｔｗｏｒｋ）へのシステム切替えを実施する際に、マイグレーション作業の効率化が可能なＯＮＵ（Ｏｐｔｉｏｎａｌ  Ｎｅｔｗｏｒｋ  Ｕｎｉｔ）に関するものである。
【背景技術】
【０００２】
ＥＰＯＮは、１００Ｍｂｐｓの伝送速度を持つＰＯＮであり、１台のＯＬＴ（Ｏｐｔｉｃａｌ  Ｌｉｎｅ  Ｔｅｒｍｉｎａｌ）と複数台のＯＮＵとをカプラを介して接続し、通信を行うものである。ここで、ＯＬＴは通信網事業者局側（以下、局側と称す）に設置され、ＯＮＵは各加入者の宅内や屋外（以下、ユーザ宅側と称す）に設置される。一方、ＩＥＥＥ８０２．３−２００５で規定されているＧＥ−ＰＯＮは、１Ｇｂｐｓの伝送速度を持つＰＯＮであり、ＥＰＯＮからのシステム切替えが行われている。
【０００３】
ここで、ＥＰＯＮとＧＥ−ＰＯＮはネットワークポロジーが同一であり、同仕様の伝送路を使用できる。しかしながら、図１２（ａ）に示すように、ＥＰＯＮ  ＯＬＴとＧＥ−ＰＯＮ  ＯＮＵとは、以下の理由により互換性が無く接続することができない。
【０００４】
まず、１つ目の理由として、ＥＰＯＮとＧＥ−ＰＯＮとでは下り信号の波長帯が異なるという点がある。すなわち、図１３に示すように、ＥＰＯＮでは、下り信号として１５４０〜１５７０ｎｍの波長帯が割り当てられているが、ＧＥ−ＰＯＮでは、下り信号として１４８０〜１５００ｎｍの波長帯が割り当てられている。そのため、ＧＥ−ＰＯＮ  ＯＮＵでは、ＥＰＯＮ  ＯＬＴからの下り信号を受信することができない。なお、図１３に示すように、ＥＰＯＮとＧＥ−ＰＯＮの上り信号では、共に１２６０〜１３６０ｎｍの波長帯が割り当てられている。
次に、２つ目の理由として、ＥＰＯＮとＧＥ−ＰＯＮとでは通信プロトコルが異なるという点がある。そのため、ＥＰＯＮ  ＯＬＴとＧＥ−ＰＯＮ  ＯＮＵとの間ではデータが導通しない。
【０００５】
そのため、ＥＰＯＮからＧＥ−ＰＯＮへのシステム切替えを実施する場合において、各ユーザ宅側のＥＰＯＮ  ＯＮＵを順にＧＥ−ＰＯＮ  ＯＮＵに交換していくと、最終的に局側のＥＰＯＮ  ＯＬＴをＧＥ−ＰＯＮ  ＯＬＴに交換するまでの間、ＧＥ−ＰＯＮ  ＯＮＵに交換したユーザ宅では通信が行えなくなってしまう。したがって、システム切替えを実施する場合には、全てのユーザ宅側のＥＰＯＮ  ＯＮＵを一斉にＧＥ−ＰＯＮ  ＯＮＵに交換し、局側のＥＰＯＮ  ＯＬＴをＧＥ−ＰＯＮ  ＯＬＴに交換する必要がある。
【０００６】
なお、図１２（ｂ）に示すように、ＧＥ−ＰＯＮ  ＯＬＴとＥＰＯＮ  ＯＮＵについても同様に、互換性がないため接続することはできない。
【先行技術文献】
【特許文献】
【０００７】
【特許文献１】特開２０１１−７７７９８号公報
【発明の概要】
【発明が解決しようとする課題】
【０００８】
上述したように、従来では、ＥＰＯＮからＧＥ−ＰＯＮへのシステム切替えを実施する場合に、全てのユーザ宅側のＥＰＯＮ  ＯＮＵを一斉にＧＥ−ＰＯＮ  ＯＮＵに交換する必要がある。しかしながら、全てのユーザ宅側でのＯＮＵの一斉交換は困難であるという課題があった。
なお、従来技術として、自宛下り信号受信時には電源をＯＮとし、他宛下り信号受信時には電源をＯＦＦとするＯＮＵがある（例えば特許文献１参照）。この従来技術では、ＯＬＴからの信号に基づいてＯＮＵの電源のＯＮ／ＯＦＦを制御している。そして、この従来技術を利用して、ＥＰＯＮからＧＥ−ＰＯＮへのシステム切替えのマイグレーション作業の効率化を図ることが考えられるかもしれない。しかしながら、この特許文献１に開示された技術では、局側のＯＬＴの構成も変更する必要があるため、システム構成が複雑化してしまうという課題がある。
【０００９】
この発明は、上記のような課題を解決するためになされたもので、ＯＬＴの構成を変更することなく、ＥＰＯＮからＧＥ−ＰＯＮへのシステム切替えにおいて、マイグレーション作業の効率化が可能なＯＮＵを提供することを目的としている。
【課題を解決するための手段】
【００１０】
この発明に係るＯＮＵは、ＯＬＴからの下り信号を、ＥＰＯＮで割り当てられた波長帯の下り信号と、ＧＥ−ＰＯＮで割り当てられた波長帯の下り信号とに分岐して出力する光分岐部と、光分岐部からのＥＰＯＮで割り当てられた波長帯の下り信号を終端するＥＰＯＮ終端部と、光分岐部からのＧＥ−ＰＯＮで割り当てられた波長帯の下り信号を終端するＧ−ＰＯＮ終端部とを備えたものである。
【発明の効果】
【００１１】
この発明によれば、上記のように構成したので、ＯＬＴの構成を変更することなく、ＥＰＯＮからＧＥ−ＰＯＮへのシステム切替えにおいて、マイグレーション作業の効率化が可能となる。
【図面の簡単な説明】
【００１２】
【図１】この発明の実施の形態１に係るＯＮＵの構成を示す図である。
【図２】この発明の実施の形態１に係るＯＮＵと、ＯＬＴ（ＥＰＯＮ，ＧＥ−ＰＯＮ）との互換性を示す図である。
【図３】この発明の実施の形態１に係るＯＮＵの動作を示すフローチャートである。
【図４】この発明の実施の形態１に係るＯＮＵを用いたマイグレーション方法を説明する図である。
【図５】この発明の実施の形態１に係るＯＮＵの別の構成を示す図である。
【図６】この発明の実施の形態２に係るＯＮＵの構成を示す図である。
【図７】この発明の実施の形態２に係るＯＮＵの動作を示すフローチャートである。
【図８】この発明の実施の形態３に係るＯＮＵの構成を示す図である。
【図９】この発明の実施の形態４に係るＯＮＵの構成を示す図である。
【図１０】この発明の実施の形態４に係るＯＮＵの動作を示すフローチャートである。
【図１１】この発明の実施の形態４に係るＯＮＵの各機能部での信号状態を示す図である。
【図１２】従来のＯＮＵと、ＯＬＴ（ＥＰＯＮ，ＧＥ−ＰＯＮ）との非互換性を示す図である。
【図１３】ＥＰＯＮとＧＥ−ＰＯＮの使用波長帯を示す図である。
【発明を実施するための形態】
【００１３】
以下、この発明の実施の形態について図面を参照しながら詳細に説明する。
実施の形態１．
図１はこの発明の実施の形態１に係るＯＮＵ１の構成を示す図である。
ＯＮＵ（ＥＰＯＮ／ＧＥ−ＰＯＮ一体型ＯＮＵ）１は、ＥＰＯＮからＧＥ−ＰＯＮへのシステム切替えを実施する際に各ユーザ宅側で用いられるものであり、局側に設置されたＯＬＴ２との間でカプラ３を介して接続されて通信を行うものである（図２参照）。
【００１４】
このＯＵＮ１は、図１に示すように、光分岐器（光分岐部）１０１、第１のＯ／Ｅ回路１０２、ＥＰＯＮ終端回路（ＥＰＯＮ終端部）１０３、光合分波器１０４、第２のＯ／Ｅ回路１０５、ＧＥ−ＰＯＮ終端回路（ＧＥ−ＰＯＮ終端部）１０６、第１の判定選択回路（判定部、第２の選択部）１０７、第２の判定選択回路（判定部、第１の選択部）１０８、ユーザ側ポート１０９、切替え選択回路（切替え選択部）１１０およびＥ／Ｏ回路１１１から構成されている。
なお、ＯＬＴ２は、システム切替え前はＥＰＯＮ  ＯＬＴであり、システム切替え後はＧＥ−ＰＯＮ  ＯＬＴである。
【００１５】
光分岐器１０１は、ＯＬＴ２からの下り信号（光信号）を所定波長で分岐し、該当する終端回路（ＥＰＯＮ終端回路１０３またはＧＥ−ＰＯＮ終端回路１０６）側に出力するものである。ここで、図１３に示すように、ＥＰＯＮでは、下り信号として１５４０〜１５７０ｎｍの波長帯が割り当てられ、ＧＥ−ＰＯＮでは、下り信号として１４８０〜１５００ｎｍの波長帯が割り当てられている。そして、光分岐器１０１は、１５００〜１５４０ｎｍ間の所定波長でＯＬＴ２からの下り信号を分岐し、波長帯が１５４０〜１５７０ｎｍの下り信号をＥＰＯＮ終端回路１０３側（第１のＯ／Ｅ回路１０２）に出力し、波長帯が１４８０〜１５００ｎｍの下り信号をＧＥ−ＰＯＮ終端回路１０６側（光合分波器１０４）に出力する。
【００１６】
第１のＯ／Ｅ回路１０２は、ＥＰＯＮで割り当てられた波長帯の信号に対応したＯ／Ｅ回路であり、光分岐器１０１からの下り信号（光信号）を電気信号に変換するものである。この第１のＯ／Ｅ回路１０２により電気信号に変換された下り信号はＥＰＯＮ終端回路１０３に出力される。
【００１７】
ＥＰＯＮ終端回路１０３は、ＥＰＯＮの通信プロトコルに従って動作する終端回路であり、第１のＯ／Ｅ回路１０２からの下り信号を終端して各種処理を行うものである。このＥＰＯＮ終端回路１０３により処理された信号は第２の判定選択回路１０８に出力される。また、ＥＰＯＮ終端回路１０３は、下り信号の受信有無を示す信号（受信有無信号）を第１の判定選択回路１０７に出力する。
また、ＥＰＯＮ終端回路１０３は、第２の判定選択回路１０８を介してユーザ側ポート１０９から出力された信号に基づいて、ＯＬＴ２への上り信号を生成する機能も有している。なお、このＥＰＯＮにおける上り信号では、図１３に示すように、１２６０〜１３６０ｎｍの波長帯が割り当てられている。このＥＰＯＮ終端回路１０３により生成された上り信号は切替え選択回路１１０に出力される。
【００１８】
光合分波器１０４は、光分岐器１０１からの下り信号を第２のＯ／Ｅ回路１０５に出力し、Ｅ／Ｏ回路１１１からの上り信号を光分岐器１０１を介してＯＬＴ２に出力するものである。
【００１９】
第２のＯ／Ｅ回路１０５は、ＧＥ−ＰＯＮで割り当てられた波長帯の信号に対応したＯ／Ｅ回路であり、光合分波器１０４からの下り信号（光信号）を電気信号に変換するものである。この第２のＯ／Ｅ回路１０５により電気信号に変換された下り信号はＧＥ−ＰＯＮ終端回路１０６に出力される。
【００２０】
ＧＥ−ＰＯＮ終端回路１０６は、ＧＥ−ＰＯＮの通信プロトコルに従って動作する終端回路であり、第２のＯ／Ｅ回路１０５からの下り信号を終端して各種処理を行うものである。このＧＥ−ＰＯＮ終端回路１０６により処理された信号は第２の判定選択回路１０８に出力される。また、ＧＥ−ＰＯＮ終端回路１０６は、下り信号の受信有無を示す信号（受信有無信号）を第１の判定選択回路１０７に出力する。
また、ＧＥ−ＰＯＮ終端回路１０６は、第２の判定選択回路１０８を介してユーザ側ポート１０９から出力された信号に基づいて、ＯＬＴ２への上り信号を生成する機能も有している。なお、このＧＥ−ＰＯＮにおける上り信号では、図１３に示すように、ＥＰＯＮにおける上り信号と同様に、１２６０〜１３６０ｎｍの波長帯が割り当てられている。このＧＥ−ＰＯＮ終端回路１０６により生成された上り信号は切替え選択回路１１０に出力される。
【００２１】
第１の判定選択回路１０７は、ＥＰＯＮ終端回路１０３およびＧＥ−ＰＯＮ終端回路１０６からの受信有無信号に基づいて、ＥＰＯＮ終端回路１０３およびＧＥ−ＰＯＮ終端回路１０６のうち、どちらの終端回路に下り信号が出力されたかを判定するものである。この第１の判定選択回路１０７による判定結果を示す信号（受信回路判定信号）は第２の判定選択回路１０８に出力される。また、第１の判定選択回路１０７は、判定結果に基づいて、切替え選択回路１１０を制御する機能も有している。
【００２２】
第２の判定選択回路１０８は、第１の判定選択回路１０７による判定結果（受信回路判定信号）に基づいて、どちらの終端回路に下り信号が出力されたかを判定し、当該下り信号が出力された終端回路により終端されて処理された信号のみを選択してユーザ側ポート１０９に出力するものである。また、第２の判定選択回路１０８は、判定結果に基づいて、その後にユーザ側ポート１０９から出力された信号を当該終端回路に出力する。
【００２３】
ユーザ側ポート１０９は、第２の判定選択回路１０８を介して一方の終端回路から出力された信号を下位のユーザ端末（不図示）に出力するものである。また、ユーザ側ポート１０９は、ユーザ端末からの信号を第２の判定選択回路１０８に出力する。なお、このユーザ側ポート１０９は、入力信号に応じて、自律的に最適なリンク速度に設定する機能（オートネゴシエーション機能）を有しているものとする。
【００２４】
切替え選択回路１１０は、第１の判定選択回路１０７による制御に応じて、ＥＰＯＮ終端回路１０３およびＧＥ−ＰＯＮ終端回路１０６のうち、一方の終端回路からの上り信号のみをＥ／Ｏ回路１１１に出力するように切替えを行うものである。
【００２５】
Ｅ／Ｏ回路１１１は、ＥＰＯＮおよびＧＥ−ＰＯＮで割り当てられた波長帯の信号に対応したＯ／Ｅ回路であり、切替え選択回路１１０からの上り信号（電気信号）を光信号に変換するものである。このＥ／Ｏ回路１１１により光信号に変換された上り信号は光合分波器１０４に出力される。
【００２６】
上記のように、ＯＮＵ１は、ＥＰＯＮの通信プロトコルに従って動作するＥＰＯＮ終端回路１０３とＧＥ−ＰＯＮの通信プロトコルに従って動作するＧＥ−ＰＯＮ終端回路１０６の両方の回路を有している。そのため、このＯＮＵ１は、図２に示すように、ＧＥ−ＰＯＮ  ＯＬＴおよびＥＰＯＮ  ＯＬＴのどちらに対しても互換性を有し、接続可能である。
【００２７】
次の、上記のように構成されたＯＮＵ１の動作について、図３を参照しながら説明する。
ＯＮＵ１の動作では、図３に示すように、まず、光分岐器１０１は、ＯＬＴ２からの下り信号（光信号）を所定波長（１５００〜１５４０ｎｍ間の波長）で分岐し、１５４０〜１５７０ｎｍの下り信号をＥＰＯＮ終端回路１０３側（第１のＯ／Ｅ回路１０２）に出力し、１４８０〜１５００ｎｍの下り信号をＧＥ−ＰＯＮ終端回路１０６側（光合分波器１０４）に出力する（ステップＳＴ３１）。
【００２８】
次いで、光分岐器１０１から下り信号が出力された終端回路は、自身の通信プロトコルに従って下り信号を終端する（ステップＳＴ３２）。
ここで、ＥＰＯＮ終端回路１０３側に下り信号が出力された場合には、ＥＰＯＮ終端回路１０３にてＥＰＯＮの通信プロトコルに従って下り信号を終端する。すなわち、第１のＯ／Ｅ回路１０２は、光分岐器１０１からの下り信号（光信号）を電気信号に変換し、ＥＰＯＮ終端回路１０３は、この下り信号を終端して各種処理を行う。このＥＰＯＮ終端回路１０３により処理された信号は第２の判定選択回路１０８に出力される。また、ＥＰＯＮ終端回路１０３は、下り信号の受信有無を示す信号（受信有無信号）を第１の判定選択回路１０７に出力する。
【００２９】
また、ＧＥ−ＰＯＮ終端回路１０６側に下り信号が出力された場合には、ＧＥ−ＰＯＮ終端回路１０６にてＧＥ−ＰＯＮの通信プロトコルに従って下り信号を終端する。すなわち、第２のＯ／Ｅ回路１０５は、光合分波器１０４を介して受け取った下り信号（光信号）を電気信号に変換し、ＧＥ−ＰＯＮ終端回路１０６は、この下り信号を終端して各種処理を行う。このＧＥ−ＰＯＮ終端回路１０６により処理された信号は第２の判定選択回路１０８に出力される。また、ＧＥ−ＰＯＮ終端回路１０６は、下り信号の受信有無を示す信号（受信有無信号）を第１の判定選択回路１０７に出力する。
【００３０】
次いで、第１の判定選択回路１０７は、ＥＰＯＮ終端回路１０３およびＧＥ−ＰＯＮ終端回路１０６からの受信有無信号に基づいて、ＥＰＯＮ終端回路１０３およびＧＥ−ＰＯＮ終端回路１０６のうち、どちらの終端回路に下り信号が出力されたかを判定する（ステップＳＴ３３）。この第１の判定選択回路１０７による判定結果を示す信号（受信回路判定信号）は第２の判定選択回路１０８に出力される。
【００３１】
また、第１の判定選択回路１０７は、判定結果に基づいて、切替え選択回路１１０を制御する（ステップＳＴ３４）。すなわち、第１の判定選択回路１０７は、切替え選択回路１１０に対して、ＥＰＯＮ終端回路１０３側に下り信号が出力された場合には、ＥＰＯＮ終端回路１０３からの上り信号のみをＥ／Ｏ回路１１１に出力するように切替えを行わせ、ＧＥ−ＰＯＮ終端回路１０６側に下り信号が出力された場合には、ＧＥ−ＰＯＮ終端回路１０６からの上り信号のみをＥ／Ｏ回路１１１に出力するように切替えを行わせる。
ここで、ＯＮＵ１では、ＯＬＴ２からの下り信号を受け取ることで、上り信号の生成・送信を行う。そのため、ＯＬＴ２からの下り信号がＥＰＯＮおよびＧＥ−ＰＯＮのどちらに対応するものであるかを知ることで、上り信号を生成する終端回路を把握することができる。
【００３２】
次いで、第２の判定選択回路１０８は、第１の判定選択回路１０７による判定結果（受信回路判定信号）に基づいて、どちらの終端回路に下り信号が出力されたかを判定し、下り信号が出力された終端回路により終端されて処理された信号のみを選択してユーザ側ポート１０９に出力する（ステップＳＴ３５）。すなわち、ＥＰＯＮ終端回路１０３側に下り信号が出力された場合には、ＥＰＯＮ終端回路１０３により終端されて処理された信号のみを選択して、ユーザ側ポート１０９に出力する。一方、ＧＥ−ＰＯＮ終端回路１０６側に下り信号が出力された場合には、ＧＥ−ＰＯＮ終端回路１０６により終端されて処理された信号のみを選択して、ユーザ側ポート１０９に出力する。
この第２の判定選択回路１０８により、不要な終端回路から誤って信号が出力された場合であっても、当該信号がユーザ側ポート１０９側に流れることはなく、誤動作を防止することができる。
【００３３】
また、第２の判定選択回路１０８は、第１の判定選択回路１０７による判定結果に基づいて、その後にユーザ側ポート１０９から出力された信号を、直前に下り信号が出力された終端回路に出力する（ステップＳＴ３６）。
【００３４】
次いで、第２の判定選択回路１０８を介してユーザ側ポート１０９から信号が出力された終端回路は、自身の通信プロトコルに従ってＯＬＴ２への上り信号の生成・送信を行う（ステップＳＴ３７）。
ここで、ＥＰＯＮ終端回路１０３に信号が出力された場合には、ＥＰＯＮ終端回路１０３にてＥＰＯＮの通信プロトコルに従って上り信号の生成・送信を行う。すなわち、ＥＰＯＮ終端回路１０３は、ユーザ側ポート１０９からの信号に基づいて上り信号を生成し、Ｅ／Ｏ回路１１１は、切替え選択回路１１０を介して受け取った上り信号（電気信号）を光信号に変換し、光合分波器１０４および光分岐器１０１を介してＯＬＴ２に出力する。
【００３５】
また、ＧＥ−ＰＯＮ終端回路１０６に信号が出力された場合には、ＧＥ−ＰＯＮ終端回路１０６にてＧＥ−ＰＯＮの通信プロトコルに従って上り信号の生成・送信を行う。すなわち、ＧＥ−ＰＯＮ終端回路１０６は、ユーザ側ポート１０９からの信号に基づいて上り信号を生成し、Ｅ／Ｏ回路１１１は、切替え選択回路１１０を介して受け取った上り信号（電気信号）を光信号に変換し、光合分波器１０４および光分岐器１０１を介してＯＬＴ２に出力する。
なお、このステップＳＴ３７において、切替え選択回路１１０は、第１の判定選択回路１０７による制御に応じてＯＬＴ２側へ出力する上り信号の選択を行っている。そのため、不要な終端回路で誤って上り信号が生成された場合であっても、当該上り信号が切替え選択回路１１０より先に流れることはなく、誤動作を防止することができる。
【００３６】
次に、上記のように構成されたＯＮＵ１を用い、ＥＰＯＮからＧＥ−ＰＯＮへのシステム切替えを実施する場合でのマイグレーション方法について、図４を参照しながら説明する。
システム切替え前の状態では、図４（ａ）に示すように、局側にはＥＰＯＮ  ＯＬＴが設置され、各ユーザ宅側にはＥＰＯＮ  ＯＮＵが設置されている。そして、ＥＰＯＮ  ＯＬＴと各ＥＰＯＮ  ＯＮＵとがカプラ３を介して接続されている。
【００３７】
そして、ＥＰＯＮからＧＥ−ＰＯＮへのシステム切替えを実施する場合、まず、図４（ｂ）に示すように、各ユーザ宅に設置されたＥＰＯＮ  ＯＮＵを本発明のＯＮＵ（ＥＰＯＮ／ＧＥ−ＰＯＮ一体型ＯＮＵ）１に順に交換していく。この際、交換したＯＮＵ１はＥＰＯＮ終端回路１０３を有し、ＥＰＯＮ  ＯＬＴからの下り信号を受信可能であるため、システム切替えを実施している最中であっても通常通り運用することが可能である。
【００３８】
その後、図４（ｃ）に示すように、全てのユーザ宅側のＥＰＯＮ  ＯＮＵを本発明のＯＮＵ１に交換した後、局側のＥＰＯＮ  ＯＬＴをＧＥ−ＰＯＮ  ＯＬＴに交換する。これにより、以後、本発明のＯＮＵ１では、ＧＥ−ＰＯＮ終端回路１０６が機能することになる。これにより、ＥＰＯＮからＧＥ−ＰＯＮへのシステム切替えを完了することができる。
【００３９】
以上のように、この実施の形態１によれば、ＯＬＴ２からの下り信号をＥＰＯＮで割り当てられた波長帯の下り信号とＧＥ−ＰＯＮで割り当てられた波長帯の下り信号とに分岐する光分岐器１０１と、ＥＰＯＮで割り当てられた波長帯の下り信号を終端するＥＰＯＮ終端回路１０３と、ＧＥ−ＰＯＮで割当てられた波長帯の下り信号を終端するＧＥ−ＰＯＮ終端回路１０６とを設けるように構成したので、ＯＬＴ２の構成を変更することなく、ＥＰＯＮからＧＥ−ＰＯＮへのシステム切替えにおいて、全てのユーザ宅側のＯＮＵを一斉に交換する必要はなくなり、順に交換することが可能となる。よって、マイグレーション作業の効率化が可能である。
また、従来のようにＯＮＵを一斉に交換する必要がある場合には、工事業者が作業を行う必要がある。しかしながら、ＯＮＵを順次交換することができる場合、例えば本発明のＯＮＵ１をユーザ宅に送付し、ユーザにてＯＮＵ交換を実施する方法も採り得るため、工事事業者による作業が不要となり、工事費の削減を図ることができる。
【００４０】
なお、実施の形態１では、システム切替えとしてＥＰＯＮからＧＥ−ＰＯＮへの切替えについて示した。通常、システム切替えとしては、旧式のＥＰＯＮから新式のＧＥ−ＰＯＮへの切替えが想定されるが、仮にＧＥ−ＰＯＮからＥＰＯＮへのシステム切替えが必要となった場合にも、本発明のＯＮＵ１を用いることで同様の効果を得ることができる。
【００４１】
また、実施の形態１におけるユーザ側ポート１０９はオートネゴシエーション機能を有し、入力信号に応じて自律的にリンク速度を最適値に設定可能であるとして説明を行った。しかしながら、上記機能を有していないユーザ側ポート１０９ｂを用いる場合には、例えば図５に示すように、第１の判定選択回路１０７に、判定結果に基づいて、ユーザ側ポート１０９ｂのリンク速度を最適値に設定する機能（設定部）を追加するようにしてもよい。この場合、第１の判定選択回路１０７は、ＥＰＯＮ終端回路１０３側に下り信号が出力されたと判定した場合には、ユーザ側ポート１０９のリンク速度を最大１００Ｍｂｐｓに設定する。一方、ＧＥ−ＰＯＮ終端回路１０６側に下り信号が出力されたと判定した場合には、ユーザ側ポート１０９のリンク速度を最大１Ｇｂｐｓに設定する。
【００４２】
また、実施の形態１では、不要な終端回路から誤って出力された信号による誤動作を確実に防止するため、第２の判定選択回路１０８および切替え選択回路１１０を設けた場合について示した。これらの回路に代えて、例えば物理的に信号経路を切替え可能なスイッチを用いて、同様の動作を実現するようにしてもよい。また、第２の判定選択回路１０８や切替え選択回路１１０は、必須の構成要素ではなく、削除してもよい。
【００４３】
実施の形態２．
図６はこの発明の実施の形態２に係るＯＮＵ１の構成を示す図である。図６に示す実施の形態２に係るＯＮＵ１は、図１に示す実施の形態１に係るＯＮＵ１に回路停止制御回路（停止制御部）１１２を追加したものである。その他の構成は同様であり、同一の符号を付してその説明を省略する。
なお、第１の判定選択回路１０７は、ＥＰＯＮ終端回路１０３およびＧＥ−ＰＯＮ終端回路１０６のうち、どちらの終端回路に下り信号が出力されたかを示す信号（受信回路判定信号）を第２の判定選択回路１０８および回路停止制御回路１１２に出力する。
【００４４】
回路停止制御回路１１２は、第１の判定選択回路１０７による判定結果（受信回路判定信号）に基づいて、下り信号が出力されていない不要な終端回路に対して、動作停止を指示する信号（停止信号）を出力するものである。また、回路停止制御回路１１２は、終端回路の動作を停止させた後、第１の判定選択回路１０７による判定結果の内容が切替わった場合には、当該終端回路に対して、動作開始を指示する信号（起動信号）を出力する。
なお、ＥＰＯＮ終端回路１０３およびＧＥ−ＰＯＮ終端回路１０６は、回路停止制御回路１１２からの信号（停止信号、起動信号）に応じて、自身の動作の停止／起動を行う機能を有する。
【００４５】
次に、上記のように構成されたＯＮＵ１による不要回路判定・停止動作について、図７を参照しながら説明する。
ＯＮＵ１による不要回路判定・停止動作では、図７に示すように、まず、ＯＮＵ１にて、ＯＬＴ２からの下り信号を受信すると、光分岐器１０１を介して、その波長帯に応じて該当する終端回路（ＥＰＯＮ終端回路１０３またはＧＥ−ＰＯＮ終端回路１０６）に下り信号が出力される（ステップＳＴ７１）。
【００４６】
次いで、第１の判定選択回路１０７は、ＧＥ−ＰＯＮ終端回路１０６からの受信有無信号に基づいて、ＧＥ−ＰＯＮ終端回路１０６側に下り信号が出力されたかを判定する（ステップＳＴ７２）。
このステップＳＴ７２において、第１の判定選択回路１０７がＧＥ−ＰＯＮ終端回路１０６側に下り信号が出力されたと判定した場合には、回路停止制御回路１１２は、ＥＰＯＮ終端回路１０３に対して、動作停止を指示する信号（停止信号）を出力する（ステップＳＴ７３）。その後、停止信号を受け取ったＥＰＯＮ終端回路１０３は自身の動作を停止する。そして、ＧＥ−ＰＯＮ終端回路１０６にて下り信号の終端が行われる。
【００４７】
一方、ステップＳＴ７２において、第１の判定選択回路１０７は、ＧＥ−ＰＯＮ終端回路１０６側に下り信号が出力されていないと判定した場合には、ＥＰＯＮ終端回路１０３からの受信有無信号に基づいて、ＥＰＯＮ終端回路１０３側に下り信号が出力されたかを判定する（ステップＳＴ７４）。
このステップＳＴ７４において、第１の判定選択回路１０７がＥＰＯＮ終端回路１０３側に下り信号が出力されたと判定した場合には、回路停止制御回路１１２は、ＧＥ−ＰＯＮ終端回路１０６に対して、動作停止を指示する信号（停止信号）を出力する（ステップＳＴ７５）。その後、停止信号を受け取ったＧＥ−ＰＯＮ終端回路１０６は自身の動作を停止する。そして、ＥＰＯＮ終端回路１０３にて下り信号の終端が行われる。
【００４８】
なお、その後、使用状態の終端回路に下り信号が出力されなくなった場合には、第１の判定選択回路１０７は、下り信号が出力された終端回路がないと判定する。そして、この判定結果に応じて、回路停止制御回路１１２は、動作を停止させた終端回路に対して、動作開始を指示する信号（起動信号）を出力する。その後、この起動信号を受け取った終端回路は動作を開始する。
【００４９】
以上のように、この実施の形態２によれば、どちらの終端回路に下り信号が出力されたかを判定し、不要な終端回路の動作を停止させるように構成したので、実施の形態１における効果に加えて、省電力化が可能となる。
【００５０】
実施の形態３．
図８はこの発明の実施の形態３に係るＯＮＵ１の構成を示す図である。図８に示す実施の形態３に係るＯＮＵ１は、図１に示す実施の形態１に係るＯＮＵ１に状態監視回路（状態監視部、通知指示部）１１３を追加したものである。その他の構成は同様であり、同一の符号を付してその説明を省略する。
【００５１】
状態監視回路１１３は、下り信号が出力されていない不使用状態の終端回路の状態（例えば回路が正常に起動するか、クロックが正常に動作するか等）を監視するものである。この際、状態監視回路１１３は、不使用状態の終端回路に状態通知を要求する信号（状態要求信号）を通知し、当該終端回路からの応答（状態信号）をラッチすることで状態監視を行う。
また、状態監視回路１１３は、下り信号が出力された使用状態の終端回路に対して、監視結果（状態通知信号）のＯＬＴ２への通知を指示する機能も有している。例えば、不使用状態のＧＥ−ＰＯＮの状態監視を行った場合には、使用状態のＥＰＯＮ終端回路１０３を用いてＯＬＴ２に監視結果を通知する（ＥＰＯＮ終端回路１０３が上り信号でＯＬＴ２に通知する）。
【００５２】
以上のように、この実施の形態３によれば、不使用状態の終端回路の状態を監視して、使用状態の終端回路を用いてＯＬＴ２に通知するように構成したので、実施の形態１における効果に加えて、システム切替え時の障害発生を未然に防ぐことができる。
【００５３】
実施の形態４．
図９はこの発明の実施の形態４に係るＯＮＵ１の構成を示す図である。図９に示す実施の形態４に係るＯＮＵ１は、図６に示す実施の形態２に係るＯＮＵ１の回路停止制御回路１１２を回路停止制御回路（停止制御回路）１１２ｂに変更し、状態監視回路（状態監視部、通知指示部）１１３ｂおよびタイマ回路１１４を追加したものである。その他の構成は同様であり、同一の符号を付してその説明を省略する。
なお、第１の判定選択回路１０７は、ＥＰＯＮ終端回路１０３およびＧＥ−ＰＯＮ終端回路１０６のうち、どちらの終端回路に下り信号が出力されたかを示す信号（受信回路判定信号）を第２の判定選択回路１０８、回路停止制御回路１１２ｂおよびタイマ回路１１４に出力する。
【００５４】
回路停止制御回路１１２ｂは、第１の判定選択回路１０７による判定結果（受信回路判定信号）に基づいて、下り信号が出力されていない不要な終端回路に対して、動作停止を指示する信号（停止信号）を出力するものである。また、回路停止制御回路１１２ｂは、終端回路の動作を停止させた後、第１の判定選択回路１０７による判定結果の内容が切替わった場合には、当該終端回路に対して、動作開始を指示する信号（起動信号）を出力する。さらに、回路停止制御回路１１２ｂは、タイマ回路１１４からのタイマ信号に応じて、動作を停止させた終端回路に対して、一時的に動作させる信号（起動信号、停止信号）を出力する機能も有している。
なお、ＥＰＯＮ終端回路１０３およびＧＥ−ＰＯＮ終端回路１０６は、回路停止制御回路１１２ｂからの信号（停止信号、起動信号）に応じて、自身の動作の停止／起動を行う機能を有する。
【００５５】
状態監視回路１１３ｂは、下り信号が出力されず、かつ、回路停止制御回路１１２ｂにより一時的に動作させられた不使用状態の終端回路の状態（例えば、回路が正常に起動するか、クロックが正常に動作するか等）を監視するものである。この際、状態監視回路１１３ｂは、不使用状態の終端回路に状態通知を要求する信号（状態要求信号）を通知し、当該終端回路からの応答（状態信号）をラッチすることで状態監視を行う。
また、状態監視回路１１３ｂは、下り信号が出力された使用状態の終端回路に対して、監視結果（状態通知信号）のＯＬＴ２への通知を指示する機能も有している。
【００５６】
タイマ回路１１４は、第１の判定選択回路１０７による判定結果（受信回路判定信号）に基づいて、タイマを起動するものである。そして、タイマが満了した後、その旨を示すタイマ信号を回路停止制御回路１１２ｂに出力する。そして、所定期間経過した後、再度タイマを起動し、その旨を示すタイマ信号を回路停止制御回路１１２ｂに出力する。
【００５７】
次に、上記のように構成されたＯＮＵ１による状態監視動作について、図１０，１１を参照しながら説明する。なお、図１１では、ＥＰＯＮ終端回路１０３に下り信号が出力され、ＧＥ−ＰＯＮ終端回路１０６の動作が停止された場合について示している。
ＯＮＵ１による状態監視動作では、図１０に示すように、一方の終端回路に下り信号が出力されて図７に示す不要回路判定・停止動作により不使用状態の終端回路の動作が停止した後（ステップＳＴ１０１）、まず、タイマ回路１１４は、タイマを起動する（ステップＳＴ１０２）。図１１に示す例では、ＥＰＯＮ終端回路１０３に下り信号が出力されて、ＧＥ−ＰＯＮ終端回路１０６の動作が停止された後に、タイマ回路１１４は、タイマを起動する。
次いで、タイマ回路１１４は、タイマが満了した後、その旨を示すタイマ信号を回路停止制御回路１１２ｂおよび状態監視回路１１３ｂに出力する（ステップＳＴ１０３）。
【００５８】
次いで、回路停止制御回路１１２ｂは、タイマ回路１１４からのタイマ信号に応じて、動作を停止させた終端回路に対して、動作の一時再開を指示する信号（起動信号）を出力する（ステップＳＴ１０４）。図１１に示す例では、回路停止制御回路１１２ｂは、タイマ満了が通知された後、ＧＥ−ＰＯＮ終端回路１０６を一時的に動作させる。これにより、不使用状態のＧＥ−ＰＯＮ終端回路１０６の状態監視を行うことができる。
【００５９】
次いで、状態監視回路１１３ｂは、タイマ回路１１４からのタイマ信号に応じて、不使用状態の終端回路の状態を監視する（ステップＳＴ１０５）。図１１に示す例では、状態監視回路部１１３ｂは、タイマ満了が通知され、所定期間待機した後（ＧＥ−ＰＯＮ終端回路１０６の起動待ち）、ＧＥ−ＰＯＮ終端回路１０６に状態通知を要求する信号（状態要求信号）を通知し、その応答（状態信号）をラッチすることで状態監視を行う。
次いで、状態監視回路１１３ｂは、使用状態の終端回路に対して、監視結果のＯＬＴ２への通知を指示する（ステップＳＴ１０６）。図１１に示す例では、状態監視回路１１３ｂは、ＧＥ−ＰＯＮ終端回路１０６の監視結果（状態信号）を、ＥＰＯＮ終端回路１０３を用いてＯＬＴ２に通知する。
【００６０】
以降、ＥＰＯＮ終端回路１０３に下り信号が出力され続けている間、上記ステップＳＴ１０２〜１０６の動作を繰り返す。
なお、２順目以降のステップＳＴ１０２では、タイマ回路１１４は、タイマが満了して所定期間（状態監視回路１１３ｂが状態監視を行うのに要する時間以上）経過後に再度タイマを起動し、その旨を示すタイマ信号を回路停止制御回路１１２ｂに出力する。そして、このタイマ信号を受け取った回路停止制御回路１１２ｂは、一時的に動作を再開させた不使用状態の終端回路に対して、動作停止を指示する信号（停止信号）を出力する。図１１に示す例では、回路停止制御回路１１２ｂは、ＧＥ−ＰＯＮ終端回路１０６の動作を停止させる。これにより、省電力化を図ることができる。
【００６１】
その後、図１１に示すように、ＥＰＯＮ終端回路１０３に下り信号が出力されなくなった場合には、第１の判定選択部１０７は、下り信号が出力された終端回路がないと判定する。そして、この判定結果に応じて、回路停止制御回路１１２ｂは、ＧＥ−ＰＯＮ終端回路１０６に対して、動作開始を指示する信号（起動信号）を出力する。その後、起動信号を受け取ったＧＥ−ＰＯＮ終端回路１０６は動作を開始する。また、タイマ回路１１４はタイマを停止する。
その後、図７に示す不要回路判定・停止動作に戻る。
【００６２】
以上のように、この実施の形態４によれば、どちらの終端回路に下り信号が出力されたかを判定し、不要な終端回路の動作を停止するとともに、不使用状態の終端回路の状態を監視してＯＬＴ２に通知するように構成したので、実施の形態２における効果に加えて、システム切替え時の障害発生を未然に防ぐことができる。
【００６３】
なお、実施の形態３，４における状態監視回路１１３，１１３ｂでは、不使用状態の終端回路（ＥＰＯＮ終端回路１０３またはＧＥ−ＰＯＮ終端回路１０６）の状態監視を行うものとした。一方、通常、ＥＰＯＮからＧＥ−ＰＯＮへシステムが切替えられた後は、ＥＰＯＮ終端回路１０３は使用されない。そのため、不使用状態のＧＥ−ＰＯＮ終端回路１０６のみを状態監視するようにしてもよい。
【００６４】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６５】
１  ＯＮＵ、２  ＯＬＴ、３  カプラ、１０１  光分岐器（光分岐部）、１０２  第１のＯ／Ｅ回路、１０３  ＥＰＯＮ終端回路（ＥＰＯＮ終端部）、１０４  光合分波器、
１０５  第２のＯ／Ｅ回路、１０６  ＧＥ−ＰＯＮ終端回路（ＧＥ−ＰＯＮ終端部）、１０７  第１の判定選択回路（判定部、第２の選択部、設定部）、１０８  第２の判定選択回路（判定部、第１の選択部）、１０９，１０９ｂ  ユーザ側ポート、１１０  切替え選択回路（切替え選択部）、１１１  Ｅ／Ｏ回路、１１２，１１２ｂ  回路停止制御回路（停止制御部）、１１３，１１３ｂ  状態監視回路（状態監視部、通知指示部）、１１４  タイマ回路。
【図１】
0005868232.tif 000002
【図２】
0005868232.tif 000003
【図３】
0005868232.tif 000004
【図４】
0005868232.tif 000005
【図５】
0005868232.tif 000006
【図６】
0005868232.tif 000007
【図７】
0005868232.tif 000008
【図８】
0005868232.tif 000009
【図９】
0005868232.tif 000010
【図１０】
0005868232.tif 000011
【図１１】
0005868232.tif 000012
【図１２】
0005868232.tif 000013
【図１３】
0005868232.tif 000014